(57)【要約】  容器内の液体に添加物を注入するための装置（２０）は、支持構造体（２２）と、支持構造体（２２）に支持されて液体が入れられた容器（２１）を保持する容器ホルダー（２８）と、を含んでいる。また、装置（２０）は、例えば液体や半流動体、粉体の添加物が入れられたカプセル（４０）を保持するカプセルホルダー（３８）と、例えば押し潰して容器（２１）内の液体に添加物を注入するためにカプセル（４０）を操作可能とされたマニピュレータ装置（４１）と、を含んでいる。【選択図】図５
2020502001.tif 000002
【特許請求の範囲】
【請求項１】
支持構造体と、
前記支持構造体に支持されて液体が入れられた容器を保持する容器ホルダーと、
添加物が入れられたカプセルを保持するカプセルホルダーと、
前記カプセルを操作して前記添加物を前記容器内に注入することができるマニピュレータ装置と、
を含む、容器内の液体に添加物を注入する装置。
【請求項２】
前記マニピュレータ装置が、前記カプセルに圧縮力を及ぼして該カプセルを破裂させることで前記添加物を注入する圧縮装置である請求項１に記載の装置。
【請求項３】
前記カプセルホルダーが、前記添加物が前記容器に向かって略下方に注入されるように前記容器ホルダーの上方に設けられている請求項１又は２に記載の装置。
【請求項４】
前記マニピュレータ装置による前記カプセルの操作に先立って、前記容器のキャップに係合して該キャップを取り外すことができる容器オープナーを備えている請求項１〜３の何れか１項に記載の装置。
【請求項５】
前記容器オープナーが、前記容器から前記キャップを取り外す取外し力を及ぼすように構成されている請求項４に記載の装置。
【請求項６】
前記容器オープナーによる前記取外し力の付加と、その後の前記マニピュレータ装置による前記カプセルの操作が、単一の操作で行われるようになっている請求項５に記載の装置。
【請求項７】
ゴミ入れを含んでいる請求項１〜６の何れか１項に記載の装置。
【請求項８】
前記容器内への前記添加物の注入の後に、前記カプセルが前記ゴミ入れに排出されるようになっている請求項７に記載の装置。
【請求項９】
前記キャップが、前記容器から取り外された後に前記ゴミ入れに排出される請求項４〜６の何れか１項に従属する場合の請求項７又は８に記載の装置。
【請求項１０】
前記容器が垂直に対して傾斜した第１の位置と実質的に直立した第２の位置との間の移動のために、前記容器ホルダーが前記支持構造体に対して回転可能に取り付けられている請求項１〜９の何れか１項に記載の装置。
【請求項１１】
前記容器が実質的に直立した第１の位置と垂直に対して傾斜した第２の位置との間の移動のために、前記容器ホルダーが前記支持構造体に対して回転可能に取り付けられている請求項１〜９の何れか１項に記載の装置。
【請求項１２】
前記容器ホルダーが前記第１の位置から前記第２の位置に移動する間に、前記マニピュレータ装置が前記カプセルを操作して前記添加物を注入するようになっている請求項１０又は１１に記載の装置。
【請求項１３】
前記容器ホルダーが前記第１の位置から前記第２の位置に移動する間に、前記容器オープナーが前記容器から前記キャップを取り外す請求項４〜６の何れか１項に従属する場合の請求項１０〜１２の何れか１項に記載の装置。
【請求項１４】
前記容器ホルダーが前記第２の位置から前記第１の位置へ移動可能であり、該容器ホルダーが該第１の位置にあるときに、前記液体と注入された前記添加物とが入れられた前記容器が該容器ホルダーから取外し可能とされている請求項１０〜１３の何れか１項に記載の装置。
【請求項１５】
前記容器ホルダーは前記容器を実質的に直立した位置に保持するために前記支持構造体に形成されていると共に、前記容器オープナーを該容器に取り付けられたキャップに係合させるために第１ポジションと第２ポジションとの間を移動可能な操作レバーを含んでいる請求項４〜９の何れか１項に記載の装置。
【請求項１６】
前記操作レバーが前記第２ポジションから第３ポジションへ移動可能とされており、該操作レバーが該第２ポジションから該第３ポジションへ移動する間に、前記容器オープナーが前記容器から前記キャップを取り外すようになっている請求項１５に記載の装置。
【請求項１７】
前記操作レバーが前記第２ポジションから前記第３ポジションへ移動する間に、前記マニピュレータ装置が前記カプセルを操作して前記添加物を注入するようになっている請求項１６に記載の装置。
【請求項１８】
前記操作レバーが前記第３ポジションから前記第１ポジションへの戻り移動のために付勢されており、該操作レバーが該第１ポジションにあるときに、前記液体と注入された前記添加物が入れられた前記容器が前記容器ホルダーから取外し可能とされている請求項１７に記載の装置。
【発明の詳細な説明】
【技術分野】
【０００１】
本開示は、概して、添加物を容器内の液体に注入するための装置に関する。本開示の実施形態は、特に、例えばボトル入り炭酸飲料などのボトル入り飲料に風味を付けるための装置に関するが、それに限定されるわけではない。
【背景技術】
【０００２】
多くの状況において、初期の液体に添加物を加えることが望ましい場合がある。例えば、近年人気が高まっているビールやサイダーなどの風味のある飲料の分野においてである。一般的には、風味付け物質の添加は、飲料が製造されるときに行われる。これにより、消費者の選択は制限されるし、飲料生産者が取得できる収入が制限されるおそれがある。
【０００３】
アルコール性または非アルコール性の標準飲料を風味付け物質で風味付けしたり、または、個人の好みに応じて提供時に添加物を添加して風味を変えることによって、消費者の選択を広げることが望ましい。米国特許出願公開第２０１１／０２７８１８４号明細書は、風味付け物質を飲料風味付け容器に注入することを可能にする飲料風味付けアプリケータを開示しており、これにより飲料を提供時にカスタマイズすることができる。しかしながら、飲料風味付けアプリケータが複雑な構造を有し、アプリケータの部品において混合してしまうために、異なる風味付け物質と共に容易に使用することができない。したがって、添加物を容器内の液体に注入するための装置の改良が求められている。
【発明の概要】
【０００４】
本開示の第１の態様によれば、添加物を容器内の液体に注入するための装置が提供される。その装置は、支持構造体と、前記支持構造体に支持されて液体が入れられた容器を保持する容器ホルダーと、添加物が入れられたカプセルを保持するカプセルホルダーと、前記カプセルを操作して前記添加物を前記容器内に注入することができるマニピュレータ装置と、を含む。
【０００５】
この装置により、添加物を容器内の液体に簡単かつ効果的に容易に添加することができる。添加物は、例えば、風味付け物質、着色剤、または、ビタミン、ミネラル、ハーブ、興奮性飲食物または濃縮飲料などの１種類以上の機能性添加物のうちの１つまたは複数を含むことができる。
【０００６】
本開示の第２の態様によれば、ボトル入り飲料を風味付けするための装置が提供される。その装置は、支持構造体と、前記支持構造体に支持されて飲料が入っているボトルを保持するボトル保持部と、風味付け物質が入っているカプセルを保持するカプセル保持部と、前記カプセルを操作して前記ボトルに前記風味付け物質を注入し、風味付けされた飲料を作ることができるマニピュレータ装置と、を含む。
【０００７】
この装置によって、あらゆる液体または飲料、例えばビールのようなボトル入り炭酸飲料を、消費者によって選択された添加物で簡単かつ効果的な方法で風味付けしたり、または風味を変えることができる。したがって、消費者は、（例えば、予め風味付けしたボトル入りアルコール飲料という形で）以前に与えられていた以上に、調味物質等を含む、より多様な添加物から選択できるようになり、結果として、その飲料はより魅力的になる可能性がある。
【０００８】
飲料製造業者の観点からは、製造工程が単純化される。なぜなら、飲料の場合であれば、もはや飲料を製造中に風味付けして、特別なラベル付け等を必要とするボトルに保存する必要がないからである。ゆえに、飲料提供時に、より幅広い種類の風味付け物質および他の添加物を消費者に提供することができる。さらに、特定の添加物、例えば風味付け物質が不評であることが判明したら、その不評である添加物とそれが入っているカプセル（飲料に比べて安価な構成要素）だけが消費されず、残りの飲料は、提供時に利用可能なより人気のある添加物との組み合わせで消費される。また、複数種類の添加物の消費レベル、すなわち人気は、飲料製造業者にとって非常に有用なフィードバックである。これにより、例えば、飲料製造業者は新しい風味付け物質などの添加物を開発し、人気のない風味付け物質や他の添加物を廃止することが可能になる。
【０００９】
この装置、特に支持構造体は、天板上に配置するための寸法にされてもよい。装置は、例えば、３３０ｍｌの容積を有するボトル入り液体を収められる寸法にされてもよい。
【００１０】
典型的な実施形態では、使用者がマニピュレータ装置を手動操作することによって、カプセルを操作して添加物を容器に注入できる。しかしながら、マニピュレータ装置が駆動機構、例えば電動式駆動装置によって操作される他の実施形態も考えられる。
【００１１】
マニピュレータ装置は、圧縮力を加えてカプセルを裂き、それによって添加物を容器に注入するように操作可能な圧縮装置であってもよい。
【００１２】
別の実施形態では、マニピュレータ装置は、カプセルを貫通して、添加物をカプセルから容器内に出せるように操作可能な切断装置または穿孔装置であってもよい。
【００１３】
カプセルホルダーは、容器ホルダーの上方に配置されてもよい。この構成では、添加物は略下方向に向かって容器内に注入することができる。
【００１４】
装置は、マニピュレータ装置によるカプセルの操作、例えば圧縮装置によるカプセルの圧縮の前に、容器上のキャップと係合してキャップを取り外すように操作可能である容器オープナーを含んでいてもよい。容器オープナーは、使用者によって手動で操作可能であってもよい。装置に一体化された容器オープナーを設けることは、容器を容器ホルダーに挿入する前にキャップを取り外す必要がなくなるので好適である。
【００１５】
容器オープナーは、キャップを容器から取り外すために、キャップに取外し力を加えるように構成されてもよい。容器オープナーは、容器からキャップを梃子で外すように取外し力をキャップに加えるように構成されてもよい。この容器オープナーは、ボトル入り飲料に一般的に使用されているクラウンキャップに使用するのに特に適している。
【００１６】
キャップは、雌ねじを有するスクリューキャップであってもよく、容器オープナーは、スクリューキャップを容器から取り外すために、スクリューキャップに取外し力を加えるように構成されてもよい。容器オープナーは、例えば容器ホルダーが第１の位置から第２の位置に向かって移動する間に、スクリューキャップに取外し力、例えば取外しトルクを加えてスクリューキャップを回転させ、それによって容器からスクリューキャップを取り外すように構成されてもよい。容器オープナーは、スクリューキャップの外周面の周りに設けられた構造と係合するようになっている構造、例えば歯状構造を有する取外しアームを備えていてもよい。取外しアーム上の構造とスクリューキャップの外周面の周りに設けられた構造の協働により、容器ホルダーが第１の位置から第２の位置に向かって移動する間に、スクリューキャップに取外しトルクが加えられる。
【００１７】
例えば使用者による単一の手動操作等の単一操作によって、容器オープナーによる取外し力の付加、その後のマニピュレータ装置によるカプセルの操作、例えば、圧縮装置による圧縮力の付加が引き起こされるように装置が構成されてもよい。これにより、単一の操作によってキャップが取り外されて添加物が容器に注入される。それによって、添加物を容器内の液体に注入する迅速で簡単な方法が提供される。
【００１８】
装置はゴミ入れを含んでいてもよい。装置は、カプセルから容器へと添加物を注入した後に、カプセルをマニピュレータ装置からゴミ入れへと排出するように構成されてもよい。装置は、カプセルから容器へと添加物を注入した後に、圧縮されたカプセルを圧縮装置からゴミ入れへと排出するように構成されてもよい。装置は、容器から取り外した後にキャップをゴミ入れの中に排出するように構成されてもよい。
【００１９】
第１の実施形態では、例えば第１の位置と第２の位置との間の移動のために、容器ホルダーを支持構造体に回転可能に取り付けることができる。
【００２０】
第１の実施形態の第１の態様では、容器が垂直に対して傾斜した第１の位置と、実質的に直立した第２の位置との間の移動のために、容器ホルダーが支持構造体に対して回転可能に取り付けられてもよい。
【００２１】
第１の実施形態の第２の態様では、容器が実質的に直立した第１の位置と、垂直に対して傾斜した第２の位置との間の移動のために、容器ホルダーが支持構造体に対して回転可能に取り付けられてもよい。
【００２２】
容器ホルダーが第１の位置から第２の位置へと移動している間に、マニピュレータ装置がカプセルを操作して添加物を注入するように構成されてもよい。圧縮装置は、容器ホルダーが第１の位置から第２の位置へと移動している間に、カプセルに圧縮力を加えてカプセルを破裂させるように構成されてもよい。
【００２３】
容器ホルダーが第１の位置から第２の位置へ移動する間に、容器オープナーが容器からキャップを取り外すように構成されてもよい。
【００２４】
この第１の実施形態では、前述の単一の操作は、例えば使用者による、第１の位置から第２の位置への容器ホルダーの移動によって提供される。これにより、キャップを容器から取り外して所望の添加物を容器に注入するための簡単で効果的な方法が提供される。
【００２５】
容器ホルダーは第２の位置から第１の位置へ移動可能であってもよく、容器ホルダーが第１の位置にあるときに、液体と注入された添加物とが入れられた容器が容器ホルダーから取外し可能であってもよい。
【００２６】
第２の実施形態では、容器ホルダーは容器を実質的に直立した位置に保持するために支持構造体に形成されてもよい。装置は、容器オープナーを容器に取り付けられたキャップに係合させるために、例えば使用者が第１ポジションと第２ポジションとの間で移動させることができる操作レバーを含んでもよい。この実施形態では容器は静止したままであり、装置は、例えば使用者による操作レバーの移動時に操作される。
【００２７】
操作レバーは、例えば使用者によって第２ポジションから第３ポジションへ移動可能とされており、操作レバーが第２ポジションから第３ポジションへ移動する間に、容器オープナーが容器からキャップを取り外すように構成され得る。
【００２８】
操作レバーが第２ポジションから第３ポジションへ移動する間に、マニピュレータ装置がカプセルを操作して添加物を注入するように構成することができる。圧縮装置は、操作レバーの第２ポジションから第３ポジションへの移動中にカプセルに前記圧縮力を加えてカプセルを破裂させるように構成することができる。
【００２９】
この第２の実施形態では、前述の単一の操作は、操作レバーの操作によって、より詳細には、例えば使用者による操作レバーの第２ポジションから第３ポジションへの移動によって提供される。この場合も、キャップを容器から取り外し、所望の添加物を容器に注入するための簡単で効果的な方法が提供される。
【００３０】
操作レバーが第３ポジションから第１ポジションへの戻り移動のために付勢されてもよい。操作レバーが第１ポジションにあるときに、液体と注入された添加物が入れられた容器が容器ホルダーから取外し可能とされてもよい。
【図面の簡単な説明】
【００３１】
【図１ａ】第１の実施形態としての添加物注入装置、および容器ホルダーに挿入するための、液体を収容した容器の斜視図である。
【図１ｂ】第１の実施形態としての添加物注入装置、および容器ホルダーに挿入するための、液体を収容した容器の概略側面図である。
【図２】容器が容器ホルダーに挿入された、図１ｂと同様の図である。
【図３】図１ａ、図１ｂおよび図２に示す第１の位置から図６に示す第２の位置への容器ホルダーの移動を示す図である。
【図４】図１ａ、図１ｂおよび図２に示す第１の位置から図６に示す第２の位置への容器ホルダーの移動を示す図である。
【図５】図１ａ、図１ｂおよび図２に示す第１の位置から図６に示す第２の位置への容器ホルダーの移動を示す図である。
【図６】図１ａ、図１ｂおよび図２に示す第１の位置から図６に示す第２の位置への容器ホルダーの移動を示す図である。
【図７】容器を容器ホルダーから取り外すことを可能にするための、図６に示す第２の位置から図８に示す第１の位置への容器ホルダーの戻り移動を示す図である。
【図８】容器を容器ホルダーから取り外すことを可能にするための、図６に示す第２の位置から図８に示す第１の位置への容器ホルダーの戻り移動を示す図である。
【図９ａ】液体を収容した容器が容器ホルダー内に挿入されている第２の実施形態としての添加物注入装置の概略斜視図である。
【図９ｂ】容器を挿入する前の図９ａの装置の概略側面図である。
【図１０】容器が容器ホルダーに挿入された、図９ｂと同様の図である。
【図１１】図１０に示す第１ポジションから図１２に示す第２ポジションへの操作レバーの移動を示す図である。
【図１２】図１０に示す第１ポジションから図１２に示す第２ポジションへの操作レバーの移動を示す図である。
【図１３】図１２に示す第２ポジションから図１４に示す第３ポジションへの操作レバーの移動を示す図である。
【図１４】図１２に示す第２ポジションから図１４に示す第３ポジションへの操作レバーの移動を示す図である。
【図１５】容器ホルダーから容器を取り外すことを可能にするための、図１４に示す第３ポジションから図１５および図１６に示す第１ポジションへの操作レバーの戻り移動を示す図である。
【図１６】容器ホルダーから容器を取り外すことを可能にするための、図１４に示す第３ポジションから図１５および図１６に示す第１ポジションへの操作レバーの戻り移動を示す図である。
【図１７ａ】液体を収容した容器が容器ホルダー内に挿入されている第３の実施形態としての添加物注入装置の概略斜視図である。
【図１７ｂ】容器の挿入前の図１７ａの装置の概略側面図である。
【図１８】容器が容器ホルダーに挿入された状態の、図１７ｂと同様の図である。
【図１９】図１７ａ、図１７ｂおよび図１８に示す第１の位置から図２１に示す第２の位置への容器ホルダーの移動を示す図である。
【図２０】図１７ａ、図１７ｂおよび図１８に示す第１の位置から図２１に示す第２の位置への容器ホルダーの移動を示す図である。
【図２１】図１７ａ、図１７ｂおよび図１８に示す第１の位置から図２１に示す第２の位置への容器ホルダーの移動を示す図である。
【図２２】容器を容器ホルダーから取り外すことを可能にするための、図２１に示す第２の位置から図２３に示す第１の位置への容器ホルダーの戻り移動を示す図である。
【図２３】容器を容器ホルダーから取り外すことを可能にするための、図２１に示す第２の位置から図２３に示す第１の位置への容器ホルダーの戻り移動を示す図である。
【図２４ａ】液体を収容した容器が容器ホルダー内に挿入されており、ゴミ入れが開いた位置にある第４の実施形態としての添加物注入装置の概略斜視図である。
【図２４ｂ】液体を収容した容器が容器ホルダー内に挿入されており、ゴミ入れが閉じた位置にある第４の実施形態としての添加物注入装置の概略斜視図である。
【図２５】容器を挿入する前であってゴミ入れが開いた位置にある状態の図２４ａおよび図２４ｂの装置の概略側面図である。
【図２６】図２４ａ、図２４ｂおよび図２５に示す第１の位置から図２７に示す第２の位置への容器ホルダーの移動を示す図である。
【図２７】図２４ａ、図２４ｂおよび図２５に示す第１の位置から図２７に示す第２の位置への容器ホルダーの移動を示す図である。
【図２８】容器ホルダーからの容器の取り外しを可能にするための、図２７に示す第２の位置から図３０に示す第１の位置への容器ホルダーの戻り移動を示す図である。
【図２９】容器ホルダーからの容器の取り外しを可能にするための、図２７に示す第２の位置から図３０に示す第１の位置への容器ホルダーの戻り移動を示す図である。
【図３０】容器ホルダーからの容器の取り外しを可能にするための、図２７に示す第２の位置から図３０に示す第１の位置への容器ホルダーの戻り移動を示す図である。
【発明を実施するための形態】
【００３２】
本開示の実施形態は、添付の図面を参照して、ほんの一例として説明される。
【００３３】
最初に図１から図８を参照すると、飲料、例えばビールのようなボトル入り炭酸飲料を収容することができる容器としてのボトル２１に添加物を注入するための第１の実施形態としての添加物注入装置２０が示されている。装置２０は、バーカウンターのようなカウンタートップ上に配置するために寸法決めされた支持構造体２２を含む。支持構造体２２は、カウンタートップ上に配置可能な水平ベース部材２４と一対の垂直支持部材２６とを有する。容器ホルダーとしてのボトルホルダー２８は、枢動マウント３１により垂直支持部材２６の上端に回転可能に取り付けられている。典型的な構成では、ボトルホルダー２８は３３０ｍｌの容積を有するボトル２１を受け入れるように寸法決めされている。しかしながら、ボトルホルダー２８は、異なる容積を有するボトル２１または他の適切な容器を受け入れるように寸法決めされ得ることが理解されるであろう。ボトルホルダー２８は、ボトル２１の基部を支持するための支持手段としての支持部材２８ａを含む。支持部材２８ａは、挿入されたボトル２１をほぼ上方向に移動させるために、弾性的に付勢されてもよく、例えばクッションまたはばねで付勢されてもよい。
【００３４】
装置２０は、ボトル２１に取り付けられたクラウンキャップ２１ａと係合するための容器オープナーとしてのボトルオープナー３０を含む。ボトルオープナー３０は、シャフト３４上に回転可能に取り付けられた爪３２を含む。爪３２は、キャッチ部材３６を含んでいる。爪３２はシャフト３４を中心に回転し、図１ｂの矢印Ａで示すように、ボトル２１をボトルホルダー２８に挿入することを可能にする。ボトル２１がボトルホルダー２８に挿入されると、爪３２はシャフト３４を中心に回転してキャッチ部材３６がクラウンキャップ２１ａの下縁の下側に係合する図２に示される位置になる。
【００３５】
装置２０は、ボトルホルダー２８の上方に配置されてボトルホルダー２８が回転すると一緒に動くようにボトルホルダー２８の上端に取り付けられたカプセルホルダー３８を含む。所望の添加物を含有するカプセル４０は、ボトル２１をボトルホルダー２８に挿入する前または後に、図１ｂに矢印Ｂで示すようにカプセルホルダー３８に挿入される。カプセル４０は、例えば液体や半流動体、粉体のような、ボトル２１に含まれる飲料の特性を変えようとするいかなる添加物も含有することができる。カプセル４０は、壊れやすいシール（図示せず）または所定の脆弱点（図示せず）および付随する出口チャネル４０ａを有する。
【００３６】
装置２０は、カプセル４０からボトル２１内に添加物を注入するために使用者によって手動で操作可能なマニピュレータ装置４１を含む。マニピュレータ装置４１は、圧縮装置４２としての圧縮ブロック４４である。以下により詳細に説明するように、圧縮ブロック４４は、ボトルホルダー２８の移動中にカプセル４０に圧縮力を加えてカプセル４０を破裂させ、それによってカプセル４０内の添加物をボトル２１内に注入する。
【００３７】
装置２０は、飲料が入れられたボトル２１をボトルホルダー２８に挿入した後、ボトルホルダー２８が第１の位置にある状態で図２に示されている。装置２０を操作するために、図３に矢印Ｃで示すように、使用者は穏やかな力を加える。これにより、ボトルホルダー２８およびその中に挿入されたボトル２１が枢動マウント３１を中心に（図で見て）時計方向に回転する。図２に示される第１の位置から図６に示される第２の位置に移動する間、ボトルオープナー３０によって、具体的にはキャッチ部材３６によって、最初にクラウンキャップ２１ａの下縁に取外し力が加えられ、それによって、図３，４によく示されているように、ボトル２１からクラウンキャップ２１ａが取り外される。装置１０は、支持構造体２２に取り外し可能に取り付けられたゴミ入れ４６を含み、キャップ２１ａは、図４の矢印Ｄに示されるように、ボトル２１から取り外された後にゴミ入れ４６内に排出される。
【００３８】
矢印Ｅで示すように、ボトルホルダー２８を図４に示す中間位置から図６に示す第２の位置に向かってさらに移動させると、カプセルホルダー３８、したがってその中に含まれるカプセル４０が圧縮ブロック４４に向かって回転する、そして圧縮ブロック４４は、カプセル４０を押し潰して破裂させるための圧縮力をカプセル４０に加える。カプセルホルダー３８およびカプセル４０は、カプセル４０の出口チャネル４０ａがボトル２１の上部開口を向くように配置されている。その結果、カプセル４０が圧縮ブロック４４によって破裂すると、それぞれ図５と６に矢印ＦおよびＧで示すように、出口チャネル４０ａからボトル２１内に直接噴射することによって添加物がカプセル４０から注入される。この供給機構のおかげで、添加物は添加物注入装置２０のいかなる部分も汚さない。香味物質のような異なる添加物を含むカプセル４０を装置２０で汚れが発生することなく装置２０内で順次使用することができるので非常に有利である。これにより、異なる添加物を含むカプセル４０を使用する前に装置２０を消毒または洗浄する必要がなくなる。
【００３９】
添加物がカプセル４０からボトル２１内に注入された後、使用者はボトルホルダー２８に緩やかな力を加え、ボトルホルダー２８とそこに挿入されているボトル２１を枢動マウント３１を中心に（図で見て）反時計方向に回転させる（図７の矢印Ｈを参照）。これにより、ボトルホルダー２８が第２の位置から第１の位置に戻る。ボトルホルダー２８の第２の位置から第１の位置へ向かっての最初の移動の間に、圧縮ブロック４４はカプセルホルダー３８から外れる。これにより、使用済みの（圧縮された）カプセル４０がカプセルホルダー３８から解放され、使用済みカプセル４０が図７の矢印Ｉに示されるようにゴミ入れ４６に排出される。最後に、ボトルホルダー２８が図８に示される第１の位置に戻されると、飲料および添加物を含むボトル２１は、矢印Ｊに示されるようにボトルホルダー２８から取り出されて、そして消費される状態とされる。
【００４０】
図９〜図１６を参照すると、第２の実施形態としての添加物注入装置６０が示されている。添加物注入装置６０は、図１から図８に示す添加物注入装置２０といくつかの類似点を有しており、対応する構成部分には対応する参照番号を付す。
【００４１】
装置６０は、バーカウンターなどのカウンタートップ上に配置するために寸法決めされた支持構造体６２を含む。図示の実施形態では、支持構造体６２は、装置６０をカウンタートップの縁部領域に取り付けることを可能にするＬ字形の取付部材６４を含む。容器ホルダーとしてのボトルホルダー６８は支持構造体６２に形成され、典型的には３３０ｍｌの容積を有するボトル２１を受けるように寸法決めされている。第１の実施形態と同様に、ボトルホルダー６８は、異なる容積を有するボトル２１または他の適切な容器を受け入れるように寸法決めされ得ることが理解されるであろう。ボトルホルダー６８は、挿入されたボトル２１を実質的に垂直の直立位置に向けるように配置され、挿入されたボトル２１の基部を支持するための支持手段としての支持面６８ａを含む。
【００４２】
装置６０は、枢動取付部７４において支持構造体６２に対して枢動可能に取り付けられた操作レバー７０を含む。操作レバー７０は、枢動取付部７４の一方の側に使用者が操作可能なハンドル７６と、枢動取付部７４の反対側にレバーアーム７２とを含む。ハンドル７６とレバーアーム７２とは、互いに実質的に９０°の角度で配置されている。
【００４３】
装置６０は、ボトル２１に取り付けられたクラウンキャップ２１ａと係合するための容器オープナーとしてのボトルオープナー８０を含む。ボトルオープナー８０は、操作レバー７０と一体的に形成されており、バネ付勢された爪８２を備えている。この爪８２は、枢着部８４において操作レバー７０に対して枢着されている。
【００４４】
装置６０は、ボトルホルダー６８の上方の支持構造体６２の上部に取り付けられるカプセルホルダー８６を含む。香味物質のような所望の添加物を含むカプセル４０は、ボトル２１をボトルホルダー６８に挿入する（矢印Ｌ）前または後のいずれかに、図９ｂの矢印Ｋで示すように、カプセルホルダー８６内に挿入される。カプセル４０は、図１から図８に関して上述したものと同じである。
【００４５】
装置６０は、圧縮装置４２としてのピストン８８を含む。ピストン８８は、クランクアーム９０の第１の端部に旋回可能に取り付けられ、カプセル４０に圧縮力を加えてカプセル４０を破裂させるためにクランクアーム９０によって移動可能である。これにより、カプセル４０内部の添加物がボトル２１へと注入される。クランクアーム９０は細長いトラック９２を含み、その中にレバーアーム７２の端部が旋回運動と直線運動の両方のためにピン７３によって取り付けられている。その結果、以下により詳細に説明するように、使用者によるハンドル７６の動きは、クランクアーム９０、ひいてはピストン８８の動きを引き起こす。
【００４６】
装置６０は、飲料を含むボトル２１をボトルホルダー６８に挿入した後に操作レバー７０が第１ポジションにある状態で図１０に示されている。装置６０を操作するために、使用者はハンドル７６に、図１０および図１１に矢印ＭおよびＮで示すように、下方に力を加える。これにより、ハンドル７６は、枢動取付部７４を中心に図中時計回り方向に回転する。ハンドル７６が時計回りに回転している間に、ばねで付勢された爪８２は、枢着部８４（図１１）を中心にして時計回り方向にそのばねの付勢力に抗して動かされる。その後に、爪８２は、クラウンキャップ２１ａの下縁と係合するために、図１２に示される位置へばねによって付勢される。図１０に示される第１ポジションから図１２に示される第２ポジションへの使用者による操作レバー７０の移動に伴うハンドル７６の最初の動きの間に、レバーアーム７２の端部に取り付けられたピン７３は、図９および図１０に示すようにトラック９０の第１の端部から図１２に示すようにトラック９０の第２の端部までクランクアーム９０内の細長いトラック９２内を自由に摺動する。
【００４７】
次に、ハンドル７６を使用者によって上方に動かし（図１３の矢印Ｏ）、操作レバー７０を枢動取付部７４を中心に図中反時計回り方向に回転させる。操作レバー７０を反時計回りに回転させる間に、ボトルオープナー８０によって、具体的には爪８２によって、クラウンキャップ２１ａの下縁に取外し力が加えられ、それによって、図１３および図１４に最もよく示されているように、ボトル２１からクラウンキャップ２１ａが取り外される。装置６０は、支持構造体６２上に取り外し可能に取り付けられたゴミ入れ４６を含み、キャップ２１ａは、図１４の矢印Ｗで示すように、ボトル２１から取り外した後にゴミ入れ４６内に排出される。
【００４８】
使用者によるハンドル７６の上方への移動により、レバーアーム７２の端部に取り付けられたピン７３が、図１３に示すように細長いトラック９２の第１の端部に達するまで細長いトラック９２に沿って摺動する。使用者によるハンドル７６の更なる上方への移動（図１４の矢印Ｐ）は、操作レバー７０を図１４に示される第３ポジションに移動させる。これにより、クランクアーム９０、したがってピストン８８がカプセル４０に向かって移動する。そして、ピストン８８は、カプセル４０を押し潰して破裂させるためにカプセル４０に圧縮力を加える。
【００４９】
図１〜図８の実施形態に関して上述したのと同じ方法で、カプセルホルダー８６およびカプセル４０は、カプセル４０の出口チャネル４０ａがボトル２１の上部開口を向くように配置される。その結果、カプセル４０がピストン８８によって破裂すると、図１４に概略的に示されるように、添加物は、ボトル２１内に直接噴射することによってカプセル４０から注入される。
【００５０】
添加物がカプセル４０からボトル２１内に注入された後、操作レバー７０は、例えばばね（図示せず）によって、図１４に示す第３ポジションから図１６に示す第１ポジションに向かって（図１５の矢印Ｑ）付勢される。操作レバー７０が第３ポジションから第１ポジションへ移動する間、クランクアーム９０およびピストン８８はカプセルホルダー８６から図１５に示される位置へ離れて移動する。これにより、使用済みの（圧縮された）カプセル４０がカプセルホルダー８６から取り除かれて、図１５に矢印Ｓで示すように、使用済みカプセル４０をゴミ入れ４６内に排出する。最後に、操作レバー７０が図１６に示す第１ポジションに戻ると、飲料および添加物を含むボトル２１が、図１６の矢印Ｒによって示されるように、消費のためにボトルホルダー６８から取り外される。
【００５１】
ここで図１７〜図２３を参照すると、第３の実施形態としての添加物注入装置１００が示されている。添加物注入装置１００は、図１〜図８に示す添加物注入装置２０といくつかの類似点を有しており、対応する構成部分には対応する参照番号を付す。
【００５２】
装置１００は、カウンタートップ上に位置するように寸法決めされた水平ベース部材１０４と２つの上方に延びる支持部材１０６とを有する支持構造体１０２を備える。容器ホルダーとしてのボトルホルダー１０８は支持部材１０６に枢動取付部１１０により回転可能に取り付けられており、図１７ａおよび図１７ｂに示される第１の位置（挿入されたボトル２１は実質的に直立した垂直位置にある）と図２１に示される第２の位置（ボトル２１が垂直に対して傾斜している）との間で移動可能である。ボトルホルダー１０８は、ボトル入り飲料２１の基部を支持するための支持手段としての支持部材１０８ａを含む。ボトルホルダー１０８は、一体的に形成された上方に突出する使用者が操作可能なハンドル１１２をさらに含む。ボトルホルダー１０８を第１の位置に付勢する一対のばね１１４が設けられている。各ばね１１４は、一端で一方の支持部材１０６の上端に取り付けられ、他方の端でボトルホルダー１０８から後方かつ上方に突出するそれぞれのアーム１１６に取り付けられている。
【００５３】
装置１００は、作動ヘッド１１８を含む。作動ヘッド１１８は、作動ヘッド１１８の動きを制御する一対のリンク部材１２０によって支持部材１０６に取り付けられている。より詳細には、ボトルホルダー１０８が図１７ａおよび図１７ｂに示される第１の位置から図２１に示される第２の位置に向かって移動するにつれて、リンク部材１２０は最初に作動ヘッド１１８に実質的に直線運動を与え、続いてボトル２１上で図１８に示される上方位置から図１９に示される下方位置に向かって下方にスライドさせる。図１９に示される下方位置では、受け台１２２がボトル２１の肩部２１ｂと係合する。
【００５４】
作動ヘッド１１８は、ボトル２１に取り付けられたクラウンキャップ２１ａと係合するための容器オープナーとしてのボトルオープナー１２３を含む。ボトルオープナー１２３は、作動ヘッド１１８が図１９に示されている下方位置に移動したときにクラウンキャップ２１ａの下縁の下側と係合するようになっている取外し爪１２４を含む。
【００５５】
装置１００は、一対の制御リンク１２８によって作動ヘッド１１８に取り付けられたカプセルホルダー１２６を含む。香味物質などの所望の添加物を含むカプセル４０は、ボトル２１をボトルホルダー１０８に挿入する（矢印Ｕ）前または後のいずれかに、図１７ｂの矢印Ｔに示すようにカプセルホルダー１２６に挿入される。カプセル４０は、図１８においてカプセルホルダー１２６の内側の着座位置に示されており、支持面１４０によって支持されている。
【００５６】
装置１００は、カプセル４０に圧縮力を加えるための圧縮装置１３０を含む。圧縮装置１３０は、圧縮ブロック１３２と、カム面１３４ａを有する付随するカム１３４とを含む。圧縮ブロック１３２およびカム１３４は、ばね１３８によって図１７〜図２０、図２２および図２３に示す非作動位置に付勢されている。圧縮ブロック１３２およびカム１３４は、非作動位置から図２１に示す作動位置に移動可能である。作動位置では、圧縮ブロック１３２は、カプセル４０を支持面１４０に押し付け、それによってカプセル４０を圧縮してそれを破裂させ、それによって添加物をボトル２１内に排出する。
【００５７】
より詳細には、上記のように、使用者は最初に図１７ｂの矢印Ｕで示すようにボトル入り飲料２１をボトルホルダー１０８に挿入し、そしてボトル２１の挿入の前または後に、使用者はカプセル４０を同図の矢印Ｔで示すように、カプセルホルダー１２６内に挿入する。次に、使用者は、使用者がハンドル１１２を自身から離れる方向に押すようにハンドル１１２に力を加えることによって装置１００を操作する。これにより、ボトルホルダー１０８は、図１８〜図２１に見られるように、枢動取付部１１０を中心に反時計回り方向に回転する。ボトルホルダー１０８の最初の回転中、上述のように、作動ヘッド１１８は、ボトル２１上を図１８に示される上方位置から、受け台１２２がボトル２１の肩部２１ｂにしっかりと係合する図１９に示す下方位置まで下方にスライドする。同時に、取外し爪１２４は、クラウンキャップ２１ａの下縁の下側に係合する。
【００５８】
ボトルホルダー１０８が枢動取付部１１０を中心に回転し続けて第１の位置から第２の位置に向かって移動するにつれて、キャップ２１ａを取り外すために取り外し爪１２４がボトル２１のクラウンキャップ２１ａに取外し力を加える。一旦取り外されると、キャップ２１ａは、図２１に示されるように、取り外し可能に取り付けられたゴミ入れ４６の中に排出される。
【００５９】
第１の位置から第２の位置へのボトルホルダー１０８の移動中、図１８から図２１に最もよく示されるように、圧縮装置１３０も作動ヘッド１１８に対して回転し、回転移動は制御リンク１２８によって制御される。ボトルホルダー１０８が図２１に示す第２の位置に近づくと、カム面１３４ａがボトルホルダー１０８の上端に形成された作動面１３６と係合する。カプセルホルダー１２６の動きは制御リンク１２８によって制限されるため、カム面１３４ａと作動面１３６との間の接触力は、圧縮ブロック１３２をばね１３８の付勢力に抗して支持面１４０に向かって移動させて、かくしてカプセル４０を押し潰すための圧縮力を与えて、それによってカプセル４０を破裂させる。
【００６０】
図１〜図８の実施形態に関して上述したのと同じ方法で、カプセルホルダー１２６およびカプセル４０は、ボトルホルダー１０８が第２の位置にあるときにカプセル４０の出口チャネル４０ａがボトル２１の上部開口を向くように配置される。その結果、カプセル４０が圧縮ブロック１３２によって破裂されると、図２１に概略的に示されるように、添加物は、ボトル２１内に直接噴射されることによってカプセル４０から注入される。図２１から、ボトル２１が傾けられた位置にあるときに、ボトル２１内に添加物が注入されることに注目されるであろう。これは、ボトル２１に収容された飲料が炭酸飲料である場合に特に有利であることが分かった。炭酸飲料の発泡が減少し、それによって過度の発泡の結果として炭酸飲料がこぼれて無駄になる可能性が減少するからである。ボトル２１が傾けられた位置で添加物が注入されるときは核形成速度が低下するので、発泡が減少すると考えられる。
【００６１】
添加物がカプセル４０からボトル２１内に注入された後、ボトルホルダー１０８は、ばね１１４によって図２１に示される第２の位置から図２３に示される第１の位置に向かって付勢される。ボトルホルダー１０８が第２の位置から第１の位置まで枢動取付部１１０を中心にして（図２１から図２３において時計回りの方向に）回転移動する間に、カム面１３４ａと作動面１３６との間の接触が解除され、それによってばね１３８により圧縮ブロック１３２が支持面１４０から離れるように移動する。これにより、使用済みの（圧縮された）カプセル４０がカプセルホルダー１２６から解放され、使用済みカプセル４０が図２２に示すようにゴミ入れ４６内に排出される。同時に、作動ヘッド１１８が下方位置から上方位置へ移動し、それにより、受け台１２２を上方向に移動させて、受け台１２２とボトル２１の肩部２１ｂとの間の接触を解除する。最後に、ボトルホルダー１０８が図２３に示す第１の位置に戻り、飲料および添加物を含むボトル２１は、図２３の矢印Ｖで示すように、消費のためにボトルホルダー１０８から取り出される。
【００６２】
ここで図２４から図３０を参照すると、第４の実施形態としての添加物注入装置１５０が示されている。添加物注入装置１５０は、図１７から図２３に示す添加物注入装置１００といくつかの類似点を有しており、対応する構成部分には対応する参照番号を付す。
【００６３】
装置１５０は、カウンタートップ上に配置するために寸法決めされた水平ベース部材１５４と２つの上方に延びる支持部材１５６とを有する支持構造体１５２を含む。容器ホルダーとしてのボトルホルダー１５８は枢動取付部１６０により支持部材１５６上に回転可能に取り付けられて、図２４ａ、図２４ｂおよび図２５に示される第１の位置（挿入されたボトル２１は実質的に直立した垂直位置にある）と図２７および図２８に示された第２の位置（挿入されたボトル２１は垂直に対して傾斜した位置にある）との間で移動可能である。ボトルホルダー１５８は、ボトル入り飲料２１の基部を支持するための支持手段としての支持部材１５８ａを含む。ボトルホルダー１５８はまた、ボトル２１の回転移動を防止するためにボトル２１の上方部分を弾性的に把持するように適合された第１および第２の把持部材１６４ａ，１６４ｂを備える把持アセンブリ１６２を含む。例えば、把持部材１６４ａ，１６４ｂの間の間隔がボトル２１の上部領域の外径よりわずかに小さくなるように設定したり、把持部材１６４ａ，１６４ｂは、ボトルホルダー１５８に挿入されたボトル２１の上部領域を収容して把持するように変形することができる弾性材料で構成されていても良い。
【００６４】
装置１５０は、間隔をあけて下方に延びる一対の操作部材１６８から上方に突出する、使用者が操作可能なハンドル１６６を含む。操作部材１６８は、それらの下端部において枢動取付部１６０によって回転自在に支持部材１５６に取り付けられている。以下にさらに詳細に説明するように、使用者によるハンドル１６６の移動、したがって枢動取付部１６０を中心とする操作部材１６８の移動は、枢動取付部１６０を中心とするボトルホルダー１５８の第１の位置と第２の位置との間の移動を引き起こす。
【００６５】
装置１５０は、ボトル２１に螺合する雌ねじを有するスクリューキャップ１７２と係合するための容器オープナーとしてのボトルオープナー１７０を含む。ボトルオープナー１７０は、歯状構造のような構造１７６を有する取外しアーム１７４を有する。この構造１７６は、スクリューキャップ１７２の外周面の周りに設けられた構造体（図２４ａおよび図２４ｂにおいてのみ見ることができる）と係合するように適合されている。以下に更に詳細に説明するように、取外しアーム１７４は、固定されて実質的にギアラックとして作用し、ボトルホルダー１５８が第１の位置から第２の位置に移動するにつれて、歯状構造１７６とスクリューキャップ１７２上の構造体との間の協働により、取外し力としての取外しトルクをスクリューキャップ１７２に加える。これにより、スクリューキャップ１７２を回転させてボトル２１から取り外すことができる。
【００６６】
装置１５０は、ボトル２１をボトルホルダー１５８に挿入する（図２５の矢印Ｂ’）前または後に、図２４ｂおよび図２５の矢印Ａ’で示すように香味物質などの所望の添加物を含有するカプセル４０が挿入されるカプセルホルダー１８０を含む。カプセルホルダー１８０は、挿入されたカプセル４０が支持される支持面１８２を含む。
【００６７】
装置１５０は、支持部材１５６の上端間に延びる支柱１８６上にカプセルホルダー１８０を回転可能に取り付ける第１の制御リンク１８４を含む。支柱１８６は、下方に垂れる枢動マウント１８８を含む。第１の制御リンク１８４の第１の端部は、ピボットマウント１９０に回転可能に取り付けられ、第１の制御リンク１８４の第２の端部は、枢動マウント１８８に設けられるピボットマウント１９２に回転可能に取り付けられる。
【００６８】
装置１５０は、間隔をあけて配置された一対のリンクアーム１９６を備える第２の制御リンク１９４を含む。リンクアーム１９６は、第１の端部でピボットマウント１９０に、第２の端部でボトルホルダー１５８に設けられた各ピボットマウント１９８に回転可能に取り付けられる。以下の説明から明らかになるように、第１および第２の制御リンク１８４，１９４は、ボトルホルダー１５８の第１の位置と第２の位置との間の移動中に、カプセルホルダー１８０の移動、したがってカプセル４０の向きを制御する。
【００６９】
装置１５０は、カプセル４０に圧縮力を加えるための圧縮装置２００をさらに含む。圧縮装置２００は、圧縮面２０４を有する圧縮ブロック２０２を含む。圧縮ブロック２０２は、ボトルホルダー１５４との移動のために、ボトルホルダー１５４と一体的に形成されるかまたはその上に取り付けられる。圧縮ブロック２０２は、例えば図２５に示すような非作動位置と、図２７に示す作動位置との間で移動可能である。図２７に示す作動位置では、圧縮ブロック２０２の圧縮面２０４が、カプセル４０を支持面１８２に押し付け、それによってカプセル４０に圧縮力を及ぼしてカプセル４０を破裂させ、それによって添加物をボトル２１内に排出する。
【００７０】
飲料調味装置１５０を操作するために、図２５の矢印Ｂ’で示すように、使用者は最初にボトル入り飲料２１をボトルホルダー１５８に挿入し、ボトル２１の挿入の前または後に、図２４ｂ及び図２５の矢印Ａ’に示されるように、使用者は、カプセル４０をカプセルホルダー１８０に挿入する。ボトル入り飲料を挿入する前に、使用者はゴミ入れ２０６を置く。ゴミ入れ２０６は、上向きに延びる支持部材１５６の１つに、図２４ａ及び図２５に示される開いた位置において例えばヒンジ２０８により回転可能に取り付けられている。ボトル入り飲料２１をボトルホルダー１５８に挿入した後、使用者は次にゴミ入れ２０６を、例えばヒンジ２０８を中心に回転させることによってゴミ入れ２０６を図２４ｂおよび図２６から図２９に示す閉じた位置に配置する。次に、使用者は、ハンドル１６６に力を加えることによって装置１５０を操作し、それにより使用者は、図２６および図２７のそれぞれ矢印Ｃ’およびＥ’で示すように、ハンドル１６６を自身に向けて引く。操作部材１６８は、枢動取付部１６０を中心にしてハンドル１６６と一体に移動し、ボトルホルダー１５８は、図２４ａ，２４ｂ，２５に示す第１の位置から図２７に示す第２の位置まで枢動取付部１６０を中心にして、図２６，２７に示されるように、時計回りに回転する。
【００７１】
図２６に示す中間位置へのハンドル１６６の移動によって引き起こされるボトルホルダー１５８の最初の回転中、スクリューキャップ１７２の外周面の周りの構造は、取外しアーム１７４上の歯状構造１７６と協働する。そして、図２６に最もよく見られるように、ボトルオープナー１７０は、上述したようにスクリューキャップ１７２に取り外しトルクを加えることにより、スクリューキャップ１７２をボトル２１から緩める。一旦取り外されると、スクリューキャップ１７２は、図２６の矢印Ｄ’によって示されるようにゴミ入れ２０６内に排出される。
【００７２】
第１の位置から第２の位置へのボトルホルダー１５８の移動中、第１および第２制御リンク１８４，１９４は、図２５に示す非作動位置から図２７に示す作動位置へ移動するカプセルホルダー１８０の移動を制御する。カプセルホルダー１８０が作動位置にあるとき、支持面１８２は実質的に垂直に配置され、カプセル４０は、出口チャネル４０ａがボトル２１の上部開口を向くように向けられることに留意されたい。
【００７３】
ボトルホルダー１５８が第１の位置から第２の位置に向かって移動する間、圧縮装置２００もまたボトルホルダー１５８と一体に回転し、圧縮ブロック２０２は図２５に示す非作動位置から図２７に示す作動位置に移動する。圧縮ブロック２０２が作動位置に近づくと、圧縮面２０４がカプセル４０を支持面１８２に押し付け、それによってカプセル４０に圧縮力を及ぼしてそれを破裂させ、それによって添加物をボトル２１内に排出する。
【００７４】
図２７から、ボトル２１が傾斜位置にあるときに添加物がボトル２１内に注入されることが再び注目されるであろう。図１７〜図２３の実施形態に関連して説明したように、これは、炭酸飲料の発泡を減少させ、それにより過度の発泡の結果としての炭酸飲料のこぼれおよび浪費の可能性を減少させるので、ボトル２１に収容される飲料が炭酸飲料であるときに特に有利である。
【００７５】
添加物がカプセル４０からボトル２１内に注入された後、ハンドル１６６は、図２８に矢印Ｆ’で示すように、図中の反時計方向に、初期位置、即ち実質的に直立した垂直位置に戻るまで使用者によって回転される。同時に、ボトルホルダー１５８の第２の位置からの回転が図２９の矢印Ｇ’で示されるように開始し、その結果として圧縮ブロック２０２が、第１および第２の制御リンク１８４、１９４によって図２７に示す作動位置から動かされ、それによって、圧縮面２０４によってカプセル４０に加えられた圧縮力が解放される。圧縮面２０４がカプセル４０から離れて移動するにつれて、使用済みの（圧縮された）カプセル４０がカプセルホルダー１８０から解放され、使用済みのカプセル４０が図２９の矢印Ｈ’で示すようにゴミ入れ２０６内に排出される。
【００７６】
ボトルホルダー１５８は、ボトル２１が実質的に直立した垂直向きにある図３０に示す第１の位置に達するまで反時計回り方向に回転し続ける。同時に、図３０にも示されるように、カプセルホルダー１８０は非作動位置に戻される。ボトルホルダー１５８が図３０に示される第１の位置に戻り、カプセルホルダー１８０が非作動位置に戻ると、飲料および添加物を含むボトル２１は、図３０の矢印Ｉ’で示すように、消費のためにボトルホルダー１５８から取り出される。
【００７７】
例示的な実施形態を前の段落で説明してきたが、添付の特許請求の範囲から逸脱することなくこれらの実施形態に様々な修正を加えることができることを理解されたい。したがって、特許請求の範囲の広さおよび範囲は、上述の例示的な実施形態に限定されるべきではない。
【００７８】
文脈が明らかにそうでないことを要求していない限り、明細書および請求の範囲を通して、「備える又は含む」、「備えている又は含んでいる」などの語は、排他的または網羅的な意味とは対照的に包括的に解釈されるべきである。つまり、「含むが、これに限定されない」という意味である。
【図１ａ】
2020502001.tif 000003
【図１ｂ】
2020502001.tif 000004
【図２】
2020502001.tif 000005
【図３】
2020502001.tif 000006
【図４】
2020502001.tif 000007
【図５】
2020502001.tif 000008
【図６】
2020502001.tif 000009
【図７】
2020502001.tif 000010
【図８】
2020502001.tif 000011
【図９ａ】
2020502001.tif 000012
【図９ｂ】
2020502001.tif 000013
【図１０】
2020502001.tif 000014
【図１１】
2020502001.tif 000015
【図１２】
2020502001.tif 000016
【図１３】
2020502001.tif 000017
【図１４】
2020502001.tif 000018
【図１５】
2020502001.tif 000019
【図１６】
2020502001.tif 000020
【図１７ａ】
2020502001.tif 000021
【図１７ｂ】
2020502001.tif 000022
【図１８】
2020502001.tif 000023
【図１９】
2020502001.tif 000024
【図２０】
2020502001.tif 000025
【図２１】
2020502001.tif 000026
【図２２】
2020502001.tif 000027
【図２３】
2020502001.tif 000028
【図２４ａ】
2020502001.tif 000029
【図２４ｂ】
2020502001.tif 000030
【図２５】
2020502001.tif 000031
【図２６】
2020502001.tif 000032
【図２７】
2020502001.tif 000033
【図２８】
2020502001.tif 000034
【図２９】
2020502001.tif 000035
【図３０】
2020502001.tif 000036
【手続補正書】
【提出日】令和1年7月25日(2019.7.25)
【手続補正２】
【補正対象書類名】明細書
【補正対象項目名】００３７
【補正方法】変更
【補正の内容】
【００３７】
装置２０は、飲料が入れられたボトル２１をボトルホルダー２８に挿入した後、ボトルホルダー２８が第１の位置にある状態で図２に示されている。装置２０を操作するために、図３に矢印Ｃで示すように、使用者は穏やかな力を加える。これにより、ボトルホルダー２８およびその中に挿入されたボトル２１が枢動マウント３１を中心に（図で見て）時計方向に回転する。図２に示される第１の位置から図６に示される第２の位置に移動する間、ボトルオープナー３０によって、具体的にはキャッチ部材３６によって、最初にクラウンキャップ２１ａの下縁に取外し力が加えられ、それによって、図３，４によく示されているように、ボトル２１からクラウンキャップ２１ａが取り外される。装置２０は、支持構造体２２に取り外し可能に取り付けられたゴミ入れ４６を含み、キャップ２１ａは、図４の矢印Ｄに示されるように、ボトル２１から取り外された後にゴミ入れ４６内に排出される。
【手続補正３】
【補正対象書類名】明細書
【補正対象項目名】００４６
【補正方法】変更
【補正の内容】
【００４６】
装置６０は、飲料を含むボトル２１をボトルホルダー６８に挿入した後に操作レバー７０が第１ポジションにある状態で図１０に示されている。装置６０を操作するために、使用者はハンドル７６に、図１０および図１１に矢印ＭおよびＮで示すように、下方に力を加える。これにより、ハンドル７６は、枢動取付部７４を中心に図中時計回り方向に回転する。ハンドル７６が時計回りに回転している間に、ばねで付勢された爪８２は、枢着部８４（図１１）を中心にして時計回り方向にそのばねの付勢力に抗して動かされる。その後に、爪８２は、クラウンキャップ２１ａの下縁と係合するために、図１２に示される位置へばねによって付勢される。図１０に示される第１ポジションから図１２に示される第２ポジションへの使用者による操作レバー７０の移動に伴うハンドル７６の最初の動きの間に、レバーアーム７２の端部に取り付けられたピン７３は、図９ｂおよび図１０に示すようにトラック９２の第１の端部から図１２に示すようにトラック９２の第２の端部までクランクアーム９０内の細長いトラック９２内を自由に摺動する。
【国際調査報告】
2020502001.tif 000037
2020502001.tif 000038